(57)【要約】【課題】未開封状態と再封緘状態とを容易に判断可能な包装箱を提供する。【解決手段】壁部１１Ａ，１１Ｂ，１７Ａ〜１９Ａ，１７Ｂ〜１９Ｂにより囲繞した周壁と、周壁の一端開口に設けられた閉塞壁１０と、周壁を構成する第１の壁部１１Ａに連設された蓋壁１３と、蓋壁１３に連設され第２の壁部１１Ｂに重畳する縁壁１５とを備えた包装箱において、蓋壁１３に、第１および第２の壁部１１Ａ，１１Ｂを除く少なくとも第３の壁部１７Ａ〜１９Ａの外面に貼着される貼着壁２１Ａを連設し、貼着壁２１Ａに、蓋壁１３との略境界線上の異なる位置を始点および終点とし、始点から貼着壁内を迂回して終点にかけて延びる第１破断線２２を設け、第１破断線２２内に、蓋壁１３に連続した突片部２３を設けた構成としている。【選択図】図１
2008074418.tif 000002
【特許請求の範囲】
【請求項１】
複数の壁部により外周部を囲繞した周壁と、該周壁の一端開口に設けられた閉塞壁と、前記周壁の他端開口に設けられ該周壁を構成する第１の壁部に連設された蓋壁と、該蓋壁に連設され該蓋壁を連設した第１の壁部を除く第２の壁部に重畳する縁壁とを備えた包装箱において、
前記蓋壁に、前記第１および第２の壁部を除く少なくとも第３の壁部の外面に貼着される貼着壁を連設し、
前記貼着壁に、前記蓋壁との略境界線上の異なる位置を始点および終点とし、前記始点から該貼着壁内を迂回して前記終点にかけて延びる第１破断線を設け、該第１破断線内に、前記蓋壁に連続した突片部を設けたことを特徴とする包装箱。
【発明の詳細な説明】
【技術分野】
【０００１】
本発明は、包装箱に関するものである。
【背景技術】
【０００２】
本発明の包装箱に関連する先行技術文献情報としては次のものがある。
【０００３】
【特許文献１】実公平６−１７６９５号公報
【０００４】
この特許文献には、四方を囲繞する周壁の一端開口を底壁で閉塞するとともに、他端開口を蓋壁で閉塞し、その蓋壁に差し込み可能な縁壁を連設することにより、開封後に再封緘を可能とした包装箱が記載されている。具体的には、前記周壁は、第１および第２の側壁部が、前記底壁および蓋壁と直線的に連続するように設けられ、他の第３および第４の側壁部が、第１，第２側壁部および底壁に連設したフラップにより構成されている。
【０００５】
また、前記蓋壁には、第３および第４側壁部の外面に重畳する側板部が連設され、この側板部に第３および第４側壁部の外面に貼着される糊付部が更に連設されている。そして、これら側板部および糊付部の境界部分には、ミシン目状をなすように所定間隔をもって切断部を設けてなる破断線が設けられている。これにより、この破断線を破断することにより蓋壁を開封した後、側板部により再封緘状態を維持できるように構成している。
【０００６】
しかしながら、この包装箱は、開封して商品を取り出し、蓋壁を再封緘した状態で、未開封の包装箱を上に積み重ねると、未開封の包装箱であるか、開封済みの包装箱であるかを容易に判断することができないという問題がある。そのため、この包装箱に収容した商品を店頭にて販売する場合、所謂荷抜きを容易に判断することができない。
【発明の開示】
【発明が解決しようとする課題】
【０００７】
本発明は、従来の問題に鑑みてなされたもので、未開封状態と再封緘状態とを容易に判断可能な包装箱を提供することを課題とするものである。
【課題を解決するための手段】
【０００８】
前記課題を解決するため、本発明の包装箱は、複数の壁部により外周部を囲繞した周壁と、該周壁の一端開口に設けられた閉塞壁と、前記周壁の他端開口に設けられ該周壁を構成する第１の壁部に連設された蓋壁と、該蓋壁に連設され該蓋壁を連設した第１の壁部を除く第２の壁部に重畳する縁壁とを備えた包装箱において、前記蓋壁に、前記第１および第２の壁部を除く少なくとも第３の壁部の外面に貼着される貼着壁を連設し、前記貼着壁に、前記蓋壁との略境界線上の異なる位置を始点および終点とし、前記始点から該貼着壁内を迂回して前記終点にかけて延びる第１破断線を設け、該第１破断線内に、前記蓋壁に連続した突片部を設けた構成としている。
【発明の効果】
【０００９】
本発明の包装箱では、蓋壁に第３の壁部の外面に貼着される貼着壁を設け、該貼着壁に蓋壁に連続した突片部を設けているため、蓋壁を一旦開封すると、突片部は弾性的に浮き上がった状態をなす。その結果、この突片部を見れば未開封状態であるか再封緘状態であるかを容易に判断できる。
【発明を実施するための最良の形態】
【００１０】
以下、本発明の実施の形態を図面に従って説明する。
【００１１】
図１乃至図４は、本発明の第１実施形態に係る包装箱を示す。この包装箱は、例えば１００ｍｌ程度の少量の液体を小瓶に収容した栄養ドリンクなどの商品を所定配列で収容するラップアラウンド形式のもので、薄肉の段ボール紙またはボール紙（単紙）を、周知のダイカッター方式の紙器打抜装置によって図４に示す連続した一枚のブランクとして打ち抜き、自動組立包装装置により組み立てられる。
【００１２】
この包装箱のブランクは、図４に示すように、矩形状をなす底壁部１０を備え、その上下両端に第１および第２の側壁部１１Ａ，１１Ｂが連設されている。そして、これら底壁部１０および側壁部１１Ａ，１１Ｂの各境界（線）部分には、肉厚を圧縮するように罫を入れて形成した折曲線１２が設けられている。
【００１３】
上側の第１の側壁部１１Ａの上端には蓋壁部１３が連設され、その境界部分には、肉厚を圧縮した折曲線に沿って所定間隔をもって切断線を設けた破断線であるリード罫１４が設けられている。また、この蓋壁部１３の上端には更に台形状をなす差込部１５が連設され、その境界部分には、前記と同様の折曲線１６が設けられている。
【００１４】
また、第１の側壁部１１Ａの両側縁には、長方形状をなす第１内フラップ１７Ａ，１７Ｂが連設されるとともに、第２の側壁部１１Ｂの両側縁には、同様に長方形状をなす第２内フラップ１８Ａ，１８Ｂが連設されている。さらに、底壁部１０の両側縁には、これらフラップ１７Ａ，１７Ｂ，１８Ａ，１８Ｂの外面側下部に重畳して貼着される外フラップ１９Ａ，１９Ｂが連設されている。そして、これらフラップ１７Ａ，１７Ｂ〜１９Ａ，１９Ｂと各壁部１１Ａ，１１Ｂ，１０の境界部分には、折曲線２０が設けられている。なお、本実施形態では、内フラップ１７Ａ，１８Ａおよび１７Ｂ，１８Ｂは、互いの先端がオーバーラップする寸法で形成されている。
【００１５】
さらに、蓋壁部１３の両側縁には、前記外フラップ１９Ａ，１９Ｂと略同様にフラップ１７Ａ，１７Ｂ，１８Ａ，１８Ｂの外面側下部に重畳して貼着される貼着部２１Ａ，２１Ｂが連設されている。この貼着部２１Ａ，２１Ｂには、半円形状の第１破断線２２が設けられ、その内部に蓋壁部１３と連続する突片部２３が設けられている。
【００１６】
具体的には、貼着部２１Ａ，２１Ｂには、蓋壁部１３との境界部分において、両側縁から内向きに延びる第２破断線２４Ａ，２４Ｂが設けられている。これら第２破断線２４Ａ，２４Ｂは、所定間隔をもって直線的に延びる切断線と、各切断線の一端から蓋壁部１３内に向けて傾斜して延びるガイド用切断線とからなる片ジッパー構造のものである。そして、第２破断線２４Ａの内端部を始点とするとともに、第２破断線２４Ｂの内端部を終点とし、半円形状をなすように迂回して延びる第１破断線２２が設けられている。この第１破断線２２は、所定間隔をもって半円状に延びる切断線と、各切断線の一端から内方に向けて延びるガイド用切断線とからなる片ジッパー構造のものである。また、第２破断線２４Ａ，２４Ｂの間には、肉厚を圧縮するように罫を入れて形成した折曲線２５が設けられている。
【００１７】
そして、第２の側壁部１１Ｂには、組立状態で上側に位置する先端縁（図４中下側縁）に、台形状をなす第３破断線２６が設けられ、その内部に抜部２７が設けられている。具体的には、第３破断線２６は、第２の側壁部１１Ｂの先端縁から組立状態で下方外向きに傾斜する片ジッパー構造の第１破断部２６ａ，２６ａと、これら第１破断部２６ａ，２６ａの端部間にかけて延びるように設けたミシン目状の第２破断部２６ｂとを備えている。
【００１８】
前記構成の包装箱は、例えば、ブランクの状態で所定の商品の製造メーカに出荷され、自動組立包装装置により製函される。具体的には、ブランク状態の底壁部１０に所定の配列で商品が載置される。その後、底壁部１０を中心として各壁部１１Ａ，１１Ｂ，１３および差込部１５が折り曲げられ、第２の側壁部１１Ｂの内面に差込部１５が熱溶融樹脂からなる接着剤で貼着（ホットメルト）される。この際、その貼着領域は、第２の側壁部１１Ｂの抜部２７と差込部１５の対応位置のみである。
【００１９】
また、各内フラップ１７Ａ，１７Ｂ，１８Ａ，１８Ｂが折り曲げられた後、その表面に外フラップ１９Ａ，１９Ｂが重畳するように折り曲げられ、これらがホットメルトで貼着される。同様に、貼着部２１Ａ，２１Ｂが内フラップ１７Ａ，１７Ｂ，１８Ａ，１８Ｂの表面に重畳するように折り曲げられ、これらがホットメルトで貼着される。この際、貼着部２１Ａ，２１Ｂの貼着領域は、突片部２３を除く位置のみである。
【００２０】
このように製函された包装箱は、図１に示すように、第１の側壁部１１Ａ、第２の側壁部１１Ｂ、フラップ１７Ａ〜１９Ａ、および、フラップ１７Ｂ〜１９Ｂがそれぞれ壁部を構成し、これらで外周部を囲繞する周壁を構成する。そして、この周壁の一（下）端開口が閉塞壁である底壁部１０により閉塞され、他（上）端開口が蓋壁である蓋壁部１３により閉塞される。さらに、第３および第４の壁部であるフラップ１７Ａ〜１９Ａ、および、フラップ１７Ｂ〜１９Ｂの外面に貼着壁である貼着部２１Ａ，２１Ｂが貼着されている。即ち、第１および第２の壁部である側壁部１１Ａ，１１Ｂを除く壁部に貼着部２１Ａ，２１Ｂが貼着されている。
【００２１】
この包装箱を開封する場合には、まず、第２の側壁部１１Ｂの抜部２７を外側から内向きに押圧する。これにより、周囲の第３破断線２６に沿って側壁部１１Ｂから抜部２７を破断する。その結果、抜部２７が蓋壁部１３に連設した差込部１５に貼着されたままの状態で、該差込部１５が側壁部１１Ｂに対して自由な状態になる。ついで、蓋壁部１３を上向きに引き上げることにより、図２に示すように、第２破断線２４Ａ、第１破断線２２および第２破断線２４Ｂに沿って貼着部２１Ａ，２１Ｂが破断され、突片部２３とともに蓋壁部１３を側壁部１１Ａに対して折り曲げ可能な開封状態とすることができる。
【００２２】
このように包装箱を開封すると、蓋壁部１３に連続した差込部１５および突片部２３は、原材料である段ボール紙自身の腰により平面状に延びるように弾性力が作用し、蓋壁部１３に対して開いた状態になる。
【００２３】
そして、包装箱の内部から所定量の商品を取り出して、再封緘する場合には、差込部１５を第２の側壁部１１Ｂの内面側に挿入する。これにより、差込部１５は、弾性的な復元力で側壁部１１Ｂを外向きに押圧するように作用し、摩擦抵抗により封緘状態を維持できる。しかも、本実施形態では、抜部２７を下広がりの台形状に形成しているため、該抜部２７が第３破断線２６による破断縁に嵌合することにより、蓋壁部１３が自身の弾性力によって開くことはない。
【００２４】
但し、突片部２３は、その外側に何ら抑えられるような部材は存在しない。そのため、自身の弾性力により広がった状態を維持する。そのため、図３に示すように、この再封緘状態の包装箱の上に未封緘状態の包装箱を積み重ねた場合、弾性的に浮き上がった突片部２３を容易に確認できるため、開封状態の包装箱が存在するか否かを容易に判断できる。
【００２５】
図５は、第２実施形態の包装箱のブランクを示す。この包装箱は、第１実施形態では周壁の一部をフラップ１７Ａ，１７Ｂ〜１９Ａ，１９Ｂにより構成したラップアラウンド形式の包装箱に本発明の突片部４３を有する構造を適用したが、異なる形式の包装箱に適用した点で大きく相違している。
【００２６】
具体的には、第２実施形態の包装箱のブランクは、各一対の側壁部３０Ａ，３０Ｂおよび端壁部３１Ａ，３１Ｂを交互に直線的に連設したものである。左側端に位置する側壁部３０Ａには、右側端に位置する端壁部３１Ｂの側縁に貼着するための糊代部３２が連設されている。そして、これらの各境界部分には折曲線３３が設けられている。
【００２７】
また、端壁部３１Ａ，３１Ｂの下端縁には、閉塞壁を構成する内フラップ３４Ａ，３４Ｂが連設されるとともに、側壁部３０Ａ，３０Ｂの下端縁には、同様に閉塞壁を構成する外フラップ３５Ａ，３５Ｂが連設され、各境界部分には折曲線３６が設けられている。
【００２８】
そして、側壁部３０Ｂ（第１の壁部）の上端縁には、各壁部３０Ａ，３０Ｂ，３１Ａ，３１Ｂにより囲繞された上端開口を閉塞する蓋壁部３７が連設され、その境界部分には折曲線３８が設けられている。この蓋壁部３７の先端には、側壁部３０Ａ（第２の壁部）の外面に貼着配置される縁壁である差込部３９が連設され、その境界部分に折曲線４０が設けられている。
【００２９】
また、蓋壁部３７の両側縁には、端壁部３１Ａ，３１Ｂ（第３および第４の壁部）の外面に貼着される貼着部４１Ａ，４１Ｂが連設され、この貼着部４１Ａ，４１Ｂに半円形状の第１破断線４２を設けることにより内部に蓋壁部３７と連続する突片部４３が設けられている。この第１破断線４２の端部には、外向きに延びる第２破断線４４が設けられるとともに、内側に折曲線４５が設けられている。
【００３０】
このように構成した包装箱は、各壁部３０Ａ，３０Ｂ，３１Ａ，３１Ｂにより四方を囲繞するように広げた状態で、例えば内フラップ３４Ａ，３４Ｂを内向きに折り曲げた後、外フラップ３５Ａ，３５Ｂを内向きに折り曲げ、これらの先端を酢酸ビニル系の接着剤やホットメルトなどで固着する。その後、蓋壁部３７を折り曲げ、差込部３９を側壁部３０Ａの外面に貼着するとともに、貼着部４１Ａ，４１Ｂの突片部４３を除く部分を端壁部３１Ａ，３１Ｂに貼着する。これにより、第１実施形態と同様の作用および効果を得ることができる。
【００３１】
なお、本発明の包装箱は、前記実施形態の構成に限定されるものではなく、種々の変更が可能である。
【００３２】
例えば、前記実施形態では、突片部２３，４３を半円形状に形成したが、その形状は希望に応じて変更が可能である。また、包装箱は、貼着部２１Ａ，２１Ｂ，４１Ａ，４１Ｂの表面色と、背部の内フラップ１７Ａ，１７Ｂ，１８Ａ，１８Ｂまたは端壁部３１Ａ，３１Ｂの表面色とを、異なる配色としてもよく、このようにすれば、未開封状態であるか再封緘状態であるかを更に容易に判断できる。
【００３３】
さらに、前記各実施形態では、包装箱を平面視矩形状をなす六面体により構成したが、周壁を構成する各壁の境界部分に面取り壁部を設けた平面視八角形状のものであってもよく、その形状（角数）は希望に応じて変更が可能である。
【００３４】
さらにまた、前記実施形態では、第１破断線２２，４２の両端に第２破断線２４Ａ，２４Ｂ，４４を設けたが、この第２破断線２４Ａ，２４Ｂ，４４は必ずしも設ける必要はない。特に、第１破断線２２，４２を貼着部２１Ａ，２１Ｂ，４１Ａ，４１Ｂの両端間にかけて延びるように形成する場合には、第２破断線２４Ａ，２４Ｂ，４４は不要である。
【図面の簡単な説明】
【００３５】
【図１】本発明の第１実施形態の包装箱を示す斜視図である。
【図２】開封状態の包装箱を示す斜視図である。
【図３】開封状態の包装箱と未開封状態の包装箱とを積み重ねた状態を示す斜視図である。
【図４】図１の包装箱のブランクを示す平面図である。
【図５】第２実施形態の包装箱のブランクを示す平面図である。
【符号の説明】
【００３６】
１０…底壁部（閉塞壁）
１１Ａ，１１Ｂ…側壁部（周壁）
１３…蓋壁部
１５…差込部（縁壁）
１７Ａ，１７Ｂ…第１内フラップ（周壁）
１８Ａ，１８Ｂ…第２内フラップ（周壁）
１９Ａ，１９Ｂ…外フラップ（周壁）
２１Ａ，２１Ｂ…貼着部
２２…第１破断線
２３…突片部
３０Ａ，３０Ｂ…側壁部（周壁）
３１Ａ，３１Ｂ…端壁部（周壁）
３４Ａ，３４Ｂ…内フラップ（閉塞壁）
３５Ａ，３５Ｂ…外フラップ（閉塞壁）
３７…蓋壁部
３９…差込部（縁壁）
４１Ａ，４１Ｂ…貼着部
４２…第１破断線
４３…突片部
【図１】
2008074418.tif 000003
【図２】
2008074418.tif 000004
【図３】
2008074418.tif 000005
【図４】
2008074418.tif 000006
【図５】
2008074418.tif 000007